(57)【要約】【課題】降雨が確実に降りかかり、降雨検知が正確に行えるような具体的構成を有する雨滴センサを備え、当該建物利用者の留守中において予期しない降雨によって開け放された窓から室内に雨滴が侵入するのを防止すべくなした。【解決手段】雨滴センサ４による降雨信号の生成に基づいて、窓閉成駆動手段６を駆動して開成中の窓１を閉成する窓閉成制御ユニット９を有して構成し、雨滴センサ４は、電気絶縁体からなるセンサ筐体４ａと、センサ筐体４ａに装着されたセンサ部４ｂと、センサ部４ｂを外方からカバーして降下した雨滴をセンサ部に導入するガイドカバー体４ｃと、センサ部４ｂおよび窓閉成制御ユニット９間を接続するリード線４ｄとを有し、構成した。【選択図】図５
2008274710.tif 000002
【特許請求の範囲】
【請求項１】
雨滴センサによる降雨信号の生成に基づいて、窓閉成駆動手段を駆動して開成中の窓を閉成する窓閉成制御手段を有して構成した住宅用窓閉成装置であって、
前記雨滴センサは、電気絶縁体からなるセンサ筐体と、該センサ筐体に装着されたセンサ部と、該センサ部を外方からカバーして降下した雨滴を前記センサ部に導入するガイドカバー体と、前記センサ部および前記窓閉成制御手段間を接続するリード線とを有してなることを特徴とする建物用窓閉成装置。
【請求項２】
前記センサ部は、一対の導電体からなるセンサ体からなり、該各センサ体は、一つの基体部と該基体部から互いに離間した状態で延出する複数の櫛歯状の検出体部とを有して構成し、且つ、前記一方のセンサ体の検出体部と他方のセンサ体の検出体部とを交互に並置されるように前記センサ筐体に装着しており、両検出体部間に雨滴が滴下した際に前記雨滴を介在させて両検出体部が電気的に導通して、降雨検知信号を生成するように構成したことを特徴とする請求項１に記載の建物用窓閉成装置。
【請求項３】
前記センサ筐体を箱型に形成して、該箱型を構成すべく互いに交叉する一対の側面壁のうち、一方の側面壁に前記一方のセンサ体の基体部を装着すると共に、他方の側面壁に前記他方のセンサ体の基体部を装着し、且つ、前記一方のセンサ体の検出体部が前記他方の側面壁まで延出設置されると共に、前記他方のセンサ体の検出体部が前記一方の側面壁まで延出設置されていることを特徴とする請求項２に記載の建物用窓閉成装置。
【請求項４】
前記両センサ体の検出体部は、それぞれ先細り状に形成された先鋭端部を有して構成していることを特徴とする請求項請求項２または請求項３に記載の建物用窓閉成装置。
【請求項５】
前記ガイドカバー体は、前記一方のセンサ体の検出体部に対向して前記センサ筐体の一方の側面壁より外方に延出する第１の庇部と、前記他方のセンサ体の検出体部に対向するように外方に延出する第２の庇部と、これら第１の庇部と第２の庇部をそれぞれ連結すると共に前記センサ筐体に装着される連結装着片部とを有して構成したことを特徴とする請求項１ないし４のいずれか一に記載の建物用窓閉成装置。
【請求項６】
前記両庇部は、互いに外方に拡開させてラッパ状に配置形成されたことを特徴とする請求項５に記載の建物用窓閉成装置。
【請求項７】
前記両庇部における互いに対向する内壁側に、電気的絶縁体からなる被覆板体を張設し、該被覆板体の先端が前記両庇部の先端を回り込ませて、前記両検出体部に対する前記ガイドカバー体を電気的絶縁したことを特徴とする請求項５または請求項６に記載の建物用窓閉成装置。
【請求項８】
前記窓閉成制御制御手段は、前記雨滴センサからの雨滴検知信号を入力する雨滴検知信号入力手段と、前記窓に設置した窓開成検知手段が送出する窓開成信号に基づいて前記窓が開成されていることを検出する窓開閉状態検出手段と、前記雨滴検知信号入力手段に入力された雨滴検知信号および前記窓開閉状態検出手段が検出した窓開成信号に基づいて、前記窓を閉成駆動するための窓閉成駆動信号を窓閉成駆動信号生成手段に出力させると共に、該窓閉成駆動信号に基づいて、窓閉成駆動手段により窓の閉成駆動を行わせるように制御する制御手段とを有して構成し、前記窓閉成駆動用信号出力手段が自己保持回路を有して構成したことを特徴とする請求項１乃至請求項７のいずれか一に記載の建物用窓閉成装置。
【請求項９】
前記制御手段は、前記雨滴検知信号および窓開成信号に加えて、当該建物に設置した建物利用者の居室／外出検知手段により検知した外出中信号を受けて、前記窓閉成駆動用信号出力手段に窓閉成駆動用信号を出力させるように構成したことを特徴とする請求項８に記載の建物用窓閉成装置。
【発明の詳細な説明】
【技術分野】
【０００１】
本発明は、住宅や工場等の建物における窓の開成状態において降雨を検知することによって、前記窓を自動的に閉成するように構成した建物用窓閉成装置に関するものである。
【背景技術】
【０００２】
従来におけるこの種の装置は、例えば、特許文献１に記載の住宅用窓開閉装置として、知られている。
【特許文献１】登録実用新案第３０３５６４９号公報。
【０００３】
これによれば、環境変化検出手段として温度センサの他に、雨滴センサを備え、該雨滴センサからの信号が所定値に達した際に制御手段が窓開閉手段に窓を閉成する制御信号を出力するようにして、当該窓を閉成するようになしたものである。
【０００４】
そして、雨滴センサは、例えば雨量による静電容量の変化により降雨を検出するもので、雨滴が確実に降りかかる位置に設置するものであるとされている。
【発明の開示】
【発明が解決しようとする課題】
【０００５】
しかし、かかる雨滴センサは、降雨を検出するために雨滴が確実に降りかかる位置に設置するものであるとするだけで、雨滴がどのように確実に降りかかるようにしたかの具体的構成は、何ら提案されていない。
【０００６】
そこで、本発明は、降雨が確実に降りかかり、降雨検知が正確に行えるような具体的構成を有する雨滴センサを備え、当該建物利用者の留守中において予期しない降雨によって開け放された窓から室内に雨滴が侵入するのを防止すべくなした建物用窓閉成装置を提供することを目的としている。
【課題を解決するための手段】
【０００７】
本発明に係る建物用窓閉成装置は、雨滴センサによる降雨信号の生成に基づいて、窓閉成駆動手段を駆動して開成中の窓を閉成する窓閉成制御手段を有して構成した住宅用窓閉成装置であって、前記雨滴センサは、電気絶縁体からなるセンサ筐体と、該センサ筐体に装着されたセンサ部と、該センサ部を外方からカバーして降下した雨滴を前記センサ部に導入するガイドカバー体と、前記センサ部および前記窓閉成制御手段間を接続するリード線とを有してなることを特徴とする。
【０００８】
かかる構成により、雨滴センサが、センサ部を外方からカバーして降下した雨滴をセンサ部に導入するガイドカバー体を有して構成することから、ガイドカバー体が、降雨された雨滴が風などで散乱したとしても確実に捉えて、センサ部までガイドし、雨滴検知を正確に行うことができ、当該建物利用者の留守中において予期しない降雨によって開け放された窓から室内に雨滴が侵入するのを確実に防止して、当該建物利用者の留守中において予期しない降雨によって開け放された窓から室内に雨滴が侵入するのを防止することができる。
【０００９】
本発明にかかる前記センサ部は、一対の導電体からなるセンサ体からなり、該各センサ体は、一つの基体部と該基体部から互いに離間した状態で延出する複数の櫛歯状の検出体部とを有して構成し、且つ、前記一方のセンサ体の検出体部と他方のセンサ体の検出体部とを交互に並置されるように前記センサ筐体に装着しており、両検出体部間に雨滴が滴下した際に前記雨滴を介在させて両検出体部が電気的に導通して、降雨検知信号を生成するように構成することができる。
【００１０】
かかる構成により、センサ部が、一つの基体部から互いに離間した状態で延出する複数の櫛歯状の検出体部を有する一対のセンサ体により構成し、各センサ体の検出体部が交互に配置されるようにセンサ筐体に装着したことから、両センサ体における相隣り合う検出体間を雨滴が介在するだけで、降雨を検知することができ、従来のような静電容量の変化による雨滴検知に比較して、正確に降雨状態を検知することができる。
【００１１】
又、本発明にかかる建物用窓閉成装置は、前記センサ筐体を箱型に形成して、該箱型を構成すべく互いに交叉する一対の側面壁のうち、一方の側面壁に前記一方のセンサ体の基体部を装着すると共に、他方の側面壁に前記他方のセンサ体の基体部を装着し、且つ、前記一方のセンサ体の検出体部が前記他方の側面壁まで延出設置されると共に、前記他方のセンサ体の検出体部が前記一方の側面壁まで延出設置されているように構成することができる。
【００１２】
かかる構成により、各センサ体の検出体部が、センサ筐体の互いに交叉する一対の側面壁にまでそれぞれ配置されていることから、検出体部の雨滴検知範囲が広範囲となって、降雨時の雨滴が少量であっても確実に検知することができ、窓の閉成を降雨当初から早急にかつ確実に行うことができ、建物内に少量の雨滴の侵入をもシャットアウトすることができる。
【００１３】
又、本発明にかかる本発明の建物用窓の閉成装置は、前記両センサ体の検出体部がそれぞれ先細り状に形成された先鋭端部を有して構成するようにしてもよい。
【００１４】
かかる構成により、検出体部に滴下した雨滴は、重力により検出体部の先端まで流下していくが、この際、検出体部の先端まで流下した雨滴は先鋭端部により確実に振り切られて、当該検出体部から離散排出されることになり、雨上がりなどの水切りを確実に行うことができ、雨滴センサの誤作動を確実に防止することができる。
【００１５】
又、本発明にかかる建物用窓の閉成装置は、前記ガイドカバー体が前記一方のセンサ体の検出体部に対向して前記センサ筐体の一方の側面壁より外方に延出する第１の庇部と、前記他方のセンサ体の検出体部に対向するように外方に延出する第２の庇部と、これら第１の庇部と第２の庇部をそれぞれ連結すると共に前記センサ筐体に装着される連結装着片部とを有して構成するようにしてもよい。
【００１６】
かかる構成により、センサ筐体の一方の側面壁およびこれに交叉する他方の側面壁のそれぞれに延出設置した第１および第２庇部によって、少量の雨滴も確実に捕らえられて、両センサ体にそれぞれ導入ガイドすることができ、降雨時の雨滴が少量であっても確実に検知することができ、窓の閉成を降雨当初から早急にかつ確実に行うことができ、建物内に少量の雨滴の侵入をもシャットアウトすることができる。
【００１７】
さらに又、本発明の建物用窓の閉成装置は、前記両庇部が互いに外方に拡開させてラッパ状に配置形成するようにしてもよい。
【００１８】
かかる構成により、両庇部は、互いに外方に向かって拡開させたラッパ状を呈していることから、少量の雨滴もさらに確実に捕らえられて、両センサ体にそれぞれ導入ガイドすることができ、降雨時の雨滴が少量であっても確実に検知することができ、窓の閉成を降雨当初から早急にかつ確実に行うことができ、建物内に少量の雨滴の侵入をもシャットアウトすることができる。
【００１９】
さらに又、本発明の建物用窓の閉成装置は、前記両庇部における互いに対向する内壁側に、電気的絶縁体からなる被覆板体を張設し、該被覆板体の先端が前記両庇部の先端を回り込ませて、前記両検出体部に対する前記ガイドカバー体を電気的絶縁した構成にしてもよい。
【００２０】
かかる構成により、検出体部とガイドカバー体との電気的絶縁が被覆板体により果たし得、ガイドカバー体に電気的導電材料を使用したとしても、ガイドカバー体が検出体部に接触して、センサ部が誤作動を起こすことを防止することができる。
【００２１】
さらに又、本発明の建物用窓の閉成装置は、前記窓閉成制御手段が、前記雨滴センサからの雨滴検知信号を入力する雨滴検知信号入力手段と、前記窓に設置した窓開成検知手段が送出する窓開成信号に基づいて前記窓が開成されていることを検出する窓開閉状態検出手段と、前記雨滴検知信号入力手段に入力された雨滴検知信号および前記窓開閉状態検出手段が検出した窓開成信号に基づいて、前記窓を閉成駆動するための窓閉成駆動信号を窓閉成駆動信号生成手段に出力させると共に、該窓閉成駆動信号に基づいて、窓閉成駆動手段により窓の閉成駆動を行わせるように制御する制御手段とを有して構成し、前記窓閉成駆動用信号出力手段が自己保持回路を有して構成するようにしてもよい。
【００２２】
かかる構成により、窓閉成駆動用信号出力手段を自己保持回路の機能により、窓閉成駆動信号を出力させ続けることができるので、例えば、雨滴センサへの電源を雨滴を検知した後に切断したとしても、窓閉成駆動手段による窓閉成動作を続行させることができることになり、雨滴センサの検出体部における電極電食を少なくして、長寿命化を果たし得ることができる。
【００２３】
さらに又、本発明の建物用窓の閉成装置は、前記制御手段が、前記雨滴検知信号および窓開成信号に加えて、当該建物に設置した建物利用者の居室／外出検知手段により検知した外出中信号を受けて、前記窓閉成駆動用信号出力手段に窓閉成駆動用信号を出力させるように構成することができる。
【００２４】
かかる構成により、当該建物内に建物利用者が居室している場合には、窓の開閉管理を当該建物利用者に任すことができて、便利である。
【発明の効果】
【００２５】
上記のように構成する本発明によれば、雨滴センサが、センサ部を外方からカバーして降下した雨滴をセンサ部に導入するガイドカバー体を有して構成することから、ガイドカバー体が、降雨された雨滴が風などで散乱したとしても確実に捉えて、センサ部までガイドし、雨滴検知を正確に行うことができ、当該建物利用者の留守中において予期しない降雨によって開け放された窓から室内に雨滴が侵入するのを確実に防止して、当該建物利用者の留守中において予期しない降雨によって開け放された窓から室内に雨滴が侵入するのを防止することができる。
【発明を実施するための最良の形態】
【００２６】
次に、本発明に係る実施の形態について、図１乃至図７を用いて説明する。
【００２７】
図１は本発明の実施の形態に係る窓を開成した状態における建物用窓閉成装置の概略構成説明図、図２は同じく、窓を閉成した状態を描画した概略構成説明図、図３は同建物用窓閉成装置の構成およびその構成要素間の電計的信号の流れを示すブロック図、図４は同建物用窓閉成装置の窓閉成制御について、その処理手順を示すフローチャート、図５は同建物用窓閉成装置を構成する雨滴センサの斜視図、図６は同建物用窓閉成装置を構成する雨滴センサの分解斜視図、図７は図５のＡ−Ａ断面図である。
【００２８】
先ず、図１および図２に示す建物用窓閉成装置は、引き違い窓に適用した場合を示しているも、必ずしも、このような引き違い窓に限定されるものではなく、例えば、観音開き窓や上げ下げ窓、開き窓あるいは張出し窓等にも適用できるものである。
【００２９】
そして、図１および図２に示す建物用窓閉成装置は、互いに引き違いに開閉される一対の窓１、２と、窓１、２がある建物１０の部屋３の屋外における雨滴がかかる場所に設置されて降雨を検知する雨滴センサ４と、当該建物１０内に設置されて建物利用者が居室しているか外出中であるかを検知する居室／外出検知手段としての居室／外出検知スイッチ５と、両窓１、２のうちたとえば一方の窓１を閉成する窓閉成駆動手段６と、一方の窓１の閉成状態を検知する窓閉成検知手段である窓閉成検知用リミットスイッチ７と、一方の窓１の開成状態を検知する窓開成検知手段である窓開成検知リミットスイッチ８と、雨滴センサ４、居室／外出検知スイッチ５および窓開成検知用リミットスイッチ７による検出信号により、窓閉成駆動手段６を駆動制御する窓閉成制御手段である窓閉成制御ユニット９を有して構成している。
【００３０】
窓閉成駆動手段６は、建物１０の固定部に設置された略コ字状の枠体１３の一方の側壁１３ａに固着されたモータ６ａと、枠体１３の一方の側壁１３ａと他方の側壁１３ｂとの間に橋渡すように枢着されてモータ６ａにより回動する送りねじ棒６ｂと、送りねじ棒６ｂに螺合した状態で送りねじ棒６ｂの回転により送りねじ棒６ｂ上を軸方向に移動可能に構成され一方の窓１の下部を押し当てるようにセットされたナットランナ６ｃおよびナットランナ６ｃに固着した押し板６ｄとを有して構成している。したがって、上記従来装置とは異なり、窓１を全開しておいてもまた半開であっても、ナットランナ６ｃの移動により、窓１を閉成することができる。
【００３１】
窓閉成検知用リミットスイッチ７は、一方の窓１の他側上部に設けられた検出突起１ａに対向するアクチュエータ７ａを有し、一方の窓１の閉成時（図１に示す状態）にアクチュエータ７ａが蹴飛ばされて、一方の窓１の閉成状態を検知できるように建物１０の固定部に設置されている。そして、窓開成検知用リミットスイッチ８が窓１が閉成された状態を検知した場合には、モータ６ａにより送りねじ棒６ｂを逆転させ、ナットランナ６ｃ及び押し板６ｄを図１に示す位置に復帰させて、窓１を手動により開成できるように待機している。
【００３２】
窓開成検知用リミットスイッチ８は、一方の窓１の開成状態（図２に示す状態）にアクチュエータ８ａがナットランナ６ｃによって蹴飛ばされて、一方の窓１の開成状態を検知できるように枠体１３に固着されている。
【００３３】
なお、図示しないが、送りねじ棒６ｂの代わりに、タイミングベルトを使用することができる。
【００３４】
窓閉成制御ユニット９は、図３に示すように、雨滴センサ４が雨滴を検知して出力した雨滴検知信号を入力する雨滴検知信号入力手段９ａと、窓閉成検知用リミットスイッチ７および窓開成検知用リミットスイッチ８の検知信号を入力して、一方の窓１の開閉状態を検出する窓開閉状態検出手段９ｂと、雨滴検知信号入力手段９ａからの雨滴検知信号および窓閉成状態検出手段９ｂからの窓閉成状態検出信号更には居室／外出検知スイッチ５が検知した外出中信号に基づいて、前記窓を閉成駆動する窓閉成駆動信号を窓閉成駆動用信号生成手段９ｃに出力させると共に、窓閉成駆動用信号生成手段９ｃが出力した窓閉成駆動用信号に基づいて、一方の窓１を閉成駆動するための窓閉成駆動手段６を駆動する制御手段９ｄとを有して構成しており、窓閉成駆動用信号生成手段９ｃは不図示の自己保持回路を有して構成している。
【００３５】
上記のように構成する建物用窓閉成装置の作用について、図４に示すフローチャートを用いて次に説明する。
【００３６】
すなわち、ステップＳＴ１において、雨滴センサ４が雨滴を検知しない場合には、一方の窓１を現状のままとしてフローを終了する。
【００３７】
これに対して、ステップＳＴ１において、雨滴センサ４が降雨によりもたらされた雨滴を検知した場合には、ステップＳＴ２にて、雨滴センサ４が出力した雨滴検知信号を、雨滴センサ信号入力手段９ａに入力した後、制御手段９ｄに送出し、制御手段７ｂが降雨検知を行い、ステップＳＴ３に移行する。
【００３８】
ステップＳＴ３において、窓閉成検知用リミットスイッチ７がオンとなると共に窓開成検知用リミットスイッチ８がオフとなっている場合には、窓開閉状態検出手段９ｂが一方の窓１は閉成されているものと判断して、窓閉成状態情報を制御手段９ｄに送出して、一方の窓１を閉成状態のままに保持し、フローを終了する。
【００３９】
逆に、ステップＳＴ２において、窓閉成検知用リミットスイッチ７がオフとなると共に窓開成検知用リミットスイッチ８がオンとなっている場合には、窓開閉状態検出手段９ｂが一方の窓１は開成されているものと判断して、窓開成状態情報を制御手段９ｄに送出して、ステップＳＴ３に移行する。
【００４０】
ステップＳＴ３において、居室／外出検知スイッチ５がオフとなっているときは、制御手段９ｄは、当該建物１０内において建物利用者が居室中であると判断し、フローを終了する。
【００４１】
逆に、ステップＳＴ３において、居室／外出検知スイッチ５がオンとなっているときは、制御手段９ｄは、当該建物１０内には建物利用者が居室しておらず留守中であると判断し、留守中信号を窓閉成駆動信号生成手段９ｃに送出して、ステップＳＴ４に移行する。
【００４２】
ステップＳＴ４において、留守中信号を受けた窓閉成駆動信号生成手段９ｃは、窓閉成信号を制御手段９ｄに窓閉成駆動信号を出力し、窓閉成駆動信号を受信した制御手段９ｄは窓閉成駆動手段６に窓閉成駆動指令を送出して、モータ６ａを駆動させ、送りねじ棒６ｂ上をナットランナ６ｃが噛合しながら移動し、ナットランナ６ｃに固着した押し板６ｄが、一方の窓１のサッシュを引っ掛けながら、窓１を閉成し、ステップＳＴ６に移行する。
【００４３】
ステップＳＴ６において、窓閉成検知用リミットスイッチ７がオフの状態では、未だ一方の窓１が全閉されていないものと判断し、ステップＳＴ５に移行して、一方の窓１の閉成動作を継続させておき、その後、窓閉成検知用リミットスイッチ７がオン状態となった場合には、一方の窓１が全閉状態となったものと判断し、制御手段９ｄは、窓閉成駆動手段６の窓閉成駆動を停止させ、ステップを終了する。
【００４４】
なお、窓閉成駆動手段６を構成するモータ６ａとして、正逆回転用モータを使用することにより、閉成状態にある一方の窓１を開成状態にするように構成することも可能である。
【００４５】
次に、上記本発明における雨滴センサ４の具体的構成について、図５乃至図７を用いて次に説明する。
【００４６】
雨滴センサ４は、電気絶縁体からなるセンサ筐体４ａと、センサ筐体４ａに装着されたセンサ部４ｂと、センサ部４ｂを外方からカバーして降下した雨滴を前記センサ部４ｂに導入するガイドカバー体４ｃと、センサ部４ｂおよび窓閉成制御ユニット９間を電気的に接続するリード線４ｄとを有して構成している。
【００４７】
センサ筐体４ａは、正面壁４ａ−３側が開口する箱型形状を呈しており、正面壁４ａ−３の開口はねじ１３を用いて螺着した蓋体４ａ−４により閉塞されている。
【００４８】
センサ部４ｂは、一対の導電体からなるセンサ体４ｂ−１、４ｂ−２からなり、各センサ体４ｂ−１、４ｂ−２は、一つの基体部４ｂ−１ａ、４ｂ−２ａと、基体部４ｂ−１ａ、４ｂ−２ａから互いに離間した状態で延設される複数の櫛歯状の検出体部４ｂ−１ｂ、４ｂ−２ｂとを有して構成し、且つ、一方のセンサ体４ｂ−１の検出体部４ｂ−１ｂと他方のセンサ体４ｂ−２の検出体部４ｂ−２ｂとが交互に並置されるように、両基体部４ｂ−１ａ、４ｂ−２ａがそれぞれセンサ筐体４ａの互いに交叉する一対の側面壁４ａ―１、４ａ−２にねじ１１を使用して装着されており、両検出体部４ｂ−１ｂ、４ｂ−２ｂ間を連続させるように雨滴が滴下した場合には、雨滴が両検出体部４ｂ−１ｂ、４ｂ−２ｂを電気的に導通して雨滴検知信号を精製し、生成された降雨検知信号は、リード線４ｄ、４ｅを介して、雨滴検知信号入力手段９ａに入力するように構成されている。
【００４９】
又、一方のセンサ体４ｂ−１の検出体４ｂ−１ｂは、一方の側面壁４ａ−１を通って、他方の側面壁４ａ―２の中間部くらいまで延在這設されていると共に、他方のセンサ体４ｂ−２の検出体４ｂ−２ｂは、他方の側面壁４ａ−２を通って、一方の側面壁４ａ―１の中間部くらいまで延在配設されている。
【００５０】
両検出体部４ｂ−１、４ｂ−２ｂは、図６に明確に示すように、それぞれ先細り状に形成された先鋭端部４ｂ−１ｃ、４ｂ−２ｃを有して構成している。
【００５１】
さらに、ガイドカバー体４ｃは、検出体部４ｂ−１ｂ、４ｂ−２ｂにわずかの隙間をもって対向するように、センサ筐体４ａの一方の側面壁４ａ―１より外方に延出する第１の庇部４ｃ−１と、他方の側面壁４ａ−２より外方に延出する第２の庇部４ｃ−２と、第１の庇部４ｃ−１と第２の庇部４ｃ−２をそれぞれ連結すると共にセンサ筐体４ａの他方の側面壁４ｂ−２に一対のねじ１２を用いて装着される連結装着片部４ｃ−３とを有して構成している。
【００５２】
両庇部４ｃ−１、４ｃ−２は、互いに外方に拡開させてラッパ状に配置形成されており、両庇部４ｃ−１、４ｃ−２における互いに対向する内壁側に、それぞれ電気的絶縁体からなる被覆板体４ｃ−４が張設され、被覆板体４ｃ−４は、両庇部４ｃ−１，４ｃ−２における両側面壁４ａ―１、４ａ―２に沿って折曲された先端４ｃ−１ａ、４ｃ−２ａカバーするまで回り込ませて、両検出体部４ｂ−１ｂ、４ｂ−２ｂに対するガイドカバー体４ｃの電気的絶縁を完全化している。
【００５３】
かかる構成を有する雨滴センサ４は、ラッパ状に拡開した料庇部ｃ−１、４ｃ−２が上側になるようにして、不図示の設置ポール等にねじ１３を用いて固着され、当該建物１０の屋外に設置されることになる。
【００５４】
以上説明した本発明に係る実施の形態においては、雨滴センサ４が、センサ部４ｂを外方からカバーして降下した雨滴をセンサ部４ｂに導入するガイドカバー体４ｃを有して構成することから、ガイドカバー体４ｃが、降雨された雨滴が風などで散乱したとしても確実に捉えて、センサ部４ｂまでガイドし、雨滴検知を正確に行うことができ、当該建物１０の利用者の留守中において予期しない降雨によって開け放された一方の窓１から室内に雨滴が侵入するのを確実に防止して、当該建物１０の利用者の留守中において予期しない降雨によって開け放された窓１から部屋３（室内）に雨滴が侵入するのを防止することができる。
【００５５】
又、雨滴センサ４を構成するセンサ部４ｂは、それぞれ一つの基体部４ｂ−１ａ、４ｂ−２ａから互いに離間した状態で延出する複数の櫛歯状の検出体部４ｂ−１ｂ、４ｂ−２ｂをそれぞれ有する一対のセンサ体４ｂ−１、４ｂ−２により構成し、各センサ体４ｂ−１、４ｂ−２の検出体部４ｂ−１ｂ、４ｂ−２ｂが交互に配置されるようにセンサ筐体４ａに装着したことから、両センサ体４ｂ−１、４ｂ−２における相隣り合う検出体４ｂ−１ｂ、４ｂ−２ｂ間を雨滴が介在するだけで、降雨を検知することができ、従来のような静電容量の変化による雨滴検知に比較して、正確に降雨状態を検知することができる。
又、各センサ体４ｂ−１、４ｂ−２の検出体部４ｂ−１ｂ、４ｂ−２ｂが、センサ筐体４ａの互いに交叉する一対の側面壁４ａ−１、４ａ−２にまで配置されていることから、検出体部４ｂ−１ｂ、４ｂ−２ｂの雨滴検知範囲が広範囲となって、降雨時の雨滴が少量であっても確実に検知することができ、一方の窓１の閉成を降雨当初から早急にかつ確実に行うことができ、部屋３内に少量の雨滴の侵入をもシャットアウトすることができる。
【００５６】
又、検出体部４ｂ−１ｂ、４ｂ−２ｂに滴下した雨滴は、重力により検出体部４ｂ−１ｂ、４ｂ−２ｂの先端まで流下していくが、この際、検出体部４ｂ−１ｂ、４ｂ−２ｂの先端まで流下した雨滴は先鋭端部４ｂ−１ｃ、４ｂ−２ｃにより確実に振り切られて、検出体部４ｂ−１ｂ、４ｂ−２ｂから離散排出されることになり、雨上がりなどの水切りを確実に行うことができ、雨滴センサ４の誤作動を確実に防止することができる。
【００５７】
又、センサ筐体４ａの一方の側面壁４ａ−１およびこれに交叉する他方の側面壁４ａ−２のそれぞれに延出設置した第１庇部４ｃ−１および第２庇部４ｃ−２によって、少量の雨滴も確実に捕らえられて、両センサ体４ｂ−１、４ｂ−２にそれぞれ導入ガイドすることができ、降雨時の雨滴が少量であっても確実に検知することができ、一方の窓１の閉成を降雨当初から早急にかつ確実に行うことができ、部屋３内に少量の雨滴の侵入をもシャットアウトすることができる。
【００５８】
さらに又、両庇部４ｃ−１および４ｃ−２は、互いに外方に向かって拡開させたラッパ状を呈していることから、少量の雨滴もさらに確実に捕らえられて、両センサ体４ｂ−１、４ｂ−２にそれぞれ導入ガイドすることができ、降雨時の雨滴が少量であっても確実に検知することができ、一方の窓１の閉成を降雨当初から早急にかつ確実に行うことができ、部屋３内に少量の雨滴の侵入をもシャットアウトすることができる。
【００５９】
さらに又、検出体部４ｂ−１ｂ、４ｂ−２ｂとガイドカバー体４ｃとの間の電気的絶縁は、被覆板体４ｃ−４により確実に果たし得、ガイドカバー体４ｃに電気的導電材料を使用して構成したとしても、ガイドカバー体４ｃが検出体部４ｂ−１ｂ、４ｂ−２ｂに接触して、センサ部４ｂが誤作動を起こすことを防止することができる。
【００６０】
さらに又、窓閉成駆動用信号出力手段９ｃは自己保持回路を有して構成していることから、当該自己保持回路の機能により、所定条件の下で、窓閉成駆動信号を出力させ続けることができるので、例えば、雨滴センサ４への電源を雨滴を検知した後に切断したとしても、窓閉成駆動手段６による窓閉成動作を続行させることができることになり、雨滴センサ４の検出体部４ｂ−１ｂ、４ｂ−２ｂにおける電極電食を少なくして、長寿命化を果たし得ることができる。
【００６１】
さらに又、制御手段９ｄは、居室／外出検知スイッチ５によって建物利用者が外出の場合を検出して、一方の窓１の閉成駆動を行うように構成されていることから、当該建物１０の部屋３内に建物利用者が居室している場合には、一方の窓１の開閉管理を当該建物利用者に任すことができて、便利である。
【００６２】
なお、上記実施の形態においては、居室／外出検知スイッチ５を設け、建物利用者が外出中の場合に、一方の窓１を閉成するように構成したが、これに限定されるものではなく、居室／外出検知スイッチ５を設けずして、建物利用者の居室／外出に関わらず、降雨時に開成された窓１を閉成するように構成してもよい。
【００６３】
又、上記実施の形態においては、引き違い窓を構成する一対の窓１および２のうち、一方の窓１における開成状態を降雨時に閉成するように構成したが、これに限定されるものではなく、他方の窓２についても、開成状態を降雨時に閉成するように構成するようにしてもよいこと勿論である。
【産業上の利用可能性】
【００６４】
以上説明したように、本発明は、雨滴センサが、センサ部を外方からカバーして降下した雨滴をセンサ部に導入するガイドカバー体を有して構成することから、ガイドカバー体が、降雨された雨滴が風などで散乱したとしても確実に捉えて、センサ部までガイドし、雨滴検知を正確に行うことができ、当該建物利用者の留守中において予期しない降雨によって開け放された窓から室内に雨滴が侵入するのを確実に防止して、当該建物利用者の留守中において予期しない降雨によって開け放された窓から室内に雨滴が侵入するのを防止することができるために、住宅や工場等の建物における窓の開成状態において降雨を検知することによって、前記窓を自動的に閉成するように構成した建物用窓閉成装置等に好適であるといえる。
【図面の簡単な説明】
【００６５】
【図１】本発明の実施の形態に係る窓を開成した状態における建物用窓閉成装置の概略構成説明図である。
【図２】同じく、窓を閉成した状態を描画した概略構成説明図である。
【図３】同建物用窓閉成装置の構成およびその構成要素間の電計的信号の流れを示すブロック図である。
【図４】同建物用窓閉成装置の窓閉成制御について、その処理手順を示すフローチャートである。
【図５】同建物用窓閉成装置を構成する雨滴センサの斜視図である。
【図６】同建物用窓閉成装置を構成する雨滴センサの分解斜視図である。
【図７】図５のＡ−Ａ断面図である。
【符号の説明】
【００６６】
１    一方の窓
２    他方の窓
３    部屋
４    雨滴センサ
４ａ  センサ筐体
４ａ−１  一方の側面壁
４ａ−２  他方の側面壁
４ｂ  センサ部
４ｂ−１、４ｂ−２  センサ体
４ｂ−１ａ、４ｂ−２ａ  基体部
４ｂ−１ｂ、４ｂ−２ｂ  検出体部
４ｂ−１ｃ、４ｂ−２ｃ  先鋭端部
４ｃ  ガイドカバー体
４ｃ−１  第１の庇部
４ｃ−１ａ  先端
４ｃ−２  第２の庇部
４ｃ−２ａ  先端
４ｃ−３  連結装着片部
４ｃ−４  被覆板体
４ｄ  リード線
５    居室／外出検出スイッチ
６    窓閉成駆動手段
７    窓閉成検知用リミットスイッチ（窓閉成検知手段）
８    窓開成検知用リミットスイッチ（窓開成検知手段）
９    窓閉成制御ユニット（窓閉成制御手段）
９ａ  降雨検知信号入力手段
９ｂ  窓開閉状態検出手段
９ｃ  窓閉成駆動用信号出力手段
９ｄ  制御手段
１０    建物
【図１】
2008274710.tif 000003
【図２】
2008274710.tif 000004
【図３】
2008274710.tif 000005
【図４】
2008274710.tif 000006
【図５】
2008274710.tif 000007
【図６】
2008274710.tif 000008
【図７】
2008274710.tif 000009
【手続補正書】
【提出日】平成20年4月8日(2008.4.8)
【手続補正１】
【補正対象書類名】特許請求の範囲
【補正対象項目名】請求項４
【補正方法】変更
【補正の内容】
【請求項４】
前記両センサ体の検出体部は、それぞれ先細り状に形成された先鋭端部を有して構成していることを特徴とする請求項２または請求項３に記載の建物用窓閉成装置。